(57)【要約】  【課題】左右長手のカードホルダーを十手型フックで支持して成る表示装置において、カードホルダーの姿勢変更の容易性と姿勢安定性とを向上させる。  【手段】十手型フック２１における上段バー２６の先端に継手１が上下動不能に取付けられる。継手１には板状の受け部５を設けている。カードホルダー２の裏面には、受け部５の上端を前後ずれ不能に抱持する上把持部９と、受け部５の下面箇所で後方に延びる下把持部１０とを設けており、下把持部１０に、受け部５の下端が嵌脱する複数の係合溝１１を形成している。カードホルダー２は、上把持部９を支点にして下部を押すことで簡単に姿勢変更できる。【選択図】          図１
0003106925.tif 000002
【実用新案登録請求の範囲】
【請求項１】
商品吊り下げ用の下段バーと表示用の上段バーとを備えた十手型フックにおける前記上段バーに着脱自在に取付けられる合成樹脂製の継手と、多数枚のプライスカードを人が視認できるように装着できる長尺状の合成樹脂製カードホルダーとを備えており、水平状に配置されたカードホルダーのうち長手方向に沿って離れた複数の箇所が前記継手を介して十手型フックで支持するようになっているプライスカード表示装置であって、
前記カードホルダーは、前記継手に、継手の側面姿勢は変わらずにカードホルダーのみの側面姿勢が変更し得るように取付けられている、
フック式陳列什器用のプライスカード表示装置。
【請求項２】
前記継手はプライスカードが取り付く受け部を一体に設けている一方、前記カードホルダーは全長にわたって同一断面形状の押し出し加工品であって、プライスカードが重なる平坦部と、この平坦部の裏面に一体成形されて前記継手の受け部を上下から掴む把持部とを備えており、
前記継手の受け部とカードホルダーの把持部とに、カードホルダーの側面姿勢を複数段階に変更した状態で互いに噛み合う嵌合部を設けており、主として把持部の弾性変形によって嵌合部の噛み合いを変更可能としている、
請求項１に記載したフック式陳列什器用のプライスカード表示装置。
【請求項３】
前記継手は、十手型フックの上段バーに上下動不能に取り付く基部と、この基部から上下両側に突出した板状の受け部とを備えている一方、
前記カードホルダーは、前記継手における受け部の上端を前後ずれ不能に抱持する上把持部と、前記上把持部を支点にして前後回動させた状態で継手における受け部の下端に下方から当接し続ける下把持部とを備えており、前記下把持部に、上把持部を支点にして前後回動すると継手における受け部の下端に嵌脱する複数条の係合溝を形成しており、継手における受け部の下端と係合溝との嵌合位置が変わることによってカードホルダーの側面姿勢が段階的に変化するように設定されている、
請求項２に記載したフック式陳列什器用のプライスカード表示装置。
【考案の詳細な説明】
【技術分野】
【０００１】
本発明は、フック式（或いはハンガー式）陳列什器用のプライスカード表示装置に関するものである。
【背景技術】
【０００２】
商品陳列什器としてフック式のものがある。これは、横長ビーム又はネットに多数のフック（ハンガー）を取付け、各フックに表品を吊り下げるものである。フックには、商品を吊り下げるバーが前向きに突出しただけのシングルフック（シングルハンガー）と、商品吊り下げ用の下段バーとカード表示用の上段バーを備えている十手型フック（ダブルハンガー）とがある。
【０００３】
シングルフックは構造が単純な分だけコストは低廉であるが、価格やバーコード等の情報はラベルに印字して商品に貼り付けるとになるため、商品管理に手間が掛かったり、客が価格を確認しにくい問題がある。
【０００４】
他方、十手型フックは、各フックの上段バーを使用してプライスカードを配置できるため、商品管理の手間を軽減できると共に、客は価格を確認しやすい利点があるが、コストが嵩みがちであると共に、プライスカードの大きさが制限される問題がある。
【０００５】
そこで、左右に配置した２本の十手型フックで長尺のカードホルダーを支持し、左右の十手型フックの間にはシングルフックの群を配置し、カードホルダーにプライスカードを装着することが提案されている。その一例を図７に示している。図７において（Ａ）は斜視図、（Ｂ）（Ｃ）は使用状態の側面図である。
【０００６】
カードホルダー２０はその両端寄りの２ヵ所を左右２本の十手型フック２１で支持されている。十手型フック２１は中空角形のビーム２２に取付けられている。左右十手型フック２１の間には多数のシングルフックが配置されている。
【０００７】
十手型フック２１は、ビーム２２に上方から嵌まる基体２４と、１本の線材を曲げて形成された下段バー２５と上段バー２６とを備えて下段バー２５には商品Ｓが吊り下げられる。上段バー２６の先端は直立部２６ａが折り曲げ形成されており、この直立部２６ａを利用して継手２７が取付けられている。継手２７には側面視Ｃ字状の受け部２８が形成されている。
【０００８】
他方、カードホルダー２０はプライスカードＣが重なる平坦部２０ａと、プライスカードＣを押さえる透明なカバー板２０ｂと、継手２７の受け部２８に嵌入する上下の爪片２０ｃ，２０ｄとが形成されている。
【０００９】
この従来例の特徴の一つは、継手２７は上下逆向きの姿勢にして十手型フック２１の上段バー２６に取付けできることであり、継手２７を上下逆向きにすると受け部２８の側面姿勢が変わるため、カードホルダー２０の側面姿勢も前傾姿勢と後傾姿勢とに変更できる。言うまでもないが、カードホルダーを姿勢変更可能としているのは、高さが違ってもプライスカードを見やすくするためである。
【００１０】
他の従来例として、継手を十手型フックの上段バーに固定的に取り付く第１部材と、この第１部材に上下首振り自在に取り付けた第２部材とで構成し、第２部材にカードホルダーを取り付けた構造のものがある。この従来例では、カードホルダーを上向きに跳ね上げることができる。
【考案の開示】
【考案が解決しようとする課題】
【００１１】
図７の従来例の場合、カードホルダーの姿勢を変更できるとはいうものの、一々継手を十手型フックに嵌め変えなければならないため、姿勢変更に手間がかかるという問題がある。また、継手の姿勢を一位確認してから十手型フックに取付けなければならず、この面でも作業が厄介である。
【００１２】
他方、カードホルダーを跳ね上げできるタイプの場合、通常の陳列状態でカードホルダーの側面視姿勢を変更できる訳ではないため、高さに応じてプライスカードが見易いようにすることはできず、ユーザーフレンドリーとは言い難い。また、客が誤ってカードホルダーを跳ね上げてしまうことがあるが、カードホルダーは左右に長いため、カードホルダーが跳ね上がることによって他の客を驚かせるような不具合もある。
【００１３】
本願考案は、これらの現状を改善することを課題とするものである。
【課題を解決するための手段】
【００１４】
本願考案は、商品吊り下げ用の下段バーと表示用の上段バーとを備えた十手型フックにおける前記上段バーに着脱自在に取付けられる合成樹脂製の継手と、多数枚のプライスカードを人が視認できるように装着できる長尺状の合成樹脂製カードホルダーとを備えており、水平状に配置されたカードホルダーのうち長手方向に沿って離れた複数の箇所が前記継手を介して十手型フックで支持するようになっているプライスカード表示装置である。
【００１５】
そして、請求項１の考案では、前記カードホルダーは、前記継手に、継手の側面姿勢は変わらずにカードホルダーのみの側面姿勢が変更し得るように取付けられている。
【００１６】
請求項２の考案は、請求項１をより具体化したもので、前記継手はプライスカードが取り付く受け部を一体に設けている一方、前記カードホルダーは全長にわたって同一断面形状の押し出し加工品であって、プライスカードが重なる平坦部と、この平坦部の裏面に一体成形されて前記継手の受け部を上下から掴む把持部とを備えている。そして、前記継手の受け部とカードホルダーの把持部とに、カードホルダーの側面姿勢を複数段階に変更した状態で互いに噛み合う嵌合部を設けており、主として把持部の弾性変形によって嵌合部の噛み合いを変更可能としている。
【００１７】
請求項３の考案は請求項２の考案を更に具体化したもので、前記継手は、十手型フックの上段バーに上下動不能に取り付く基部と、この基部から上下両側に突出した板状の受け部とを備えている一方、前記カードホルダーは、前記継手における受け部の上端を前後ずれ不能に抱持する上把持部と、前記上把持部を支点にして前後回動させた状態で継手における受け部の下端に下方から当接し続ける下把持部とを備えている。そして、前記下把持部に、上把持部を支点にして前後回動すると継手における受け部の下端に嵌脱する複数条の係合溝を形成しており、継手における受け部の下端と係合溝との嵌合位置が変わることによってカードホルダーの側面姿勢が段階的に変化するように設定されている。
【００１８】
なお、請求項３では、継手における受け部の下端部と、カードホルダーにおける下把持部の係合溝とが請求項２に記載した嵌合部を構成している。本願考案において前後・左右の用語を使用する場合、陳列什器の正面視を基準としている。
【考案の効果】
【００１９】
本願考案では、継手の姿勢は変わることなくカードホルダーのみの側面姿勢を変更できるため、カードホルダーの姿勢変更を簡単に行える。また、十手型フックに対する継手の取付け姿勢は一定しているため、取付けに際して継手の姿勢を一々確認する必要はなく、このため継手を取付ける作業も簡単に行える。
【００２０】
また、カードホルダーのみが側面視姿勢を変更するもので、継手は十手型フックの上段バーに対して姿勢変更しない状態に取付けられているため、客が誤ってカードホルダーを跳ね上げるようなことはなく、安定性に優れている。
【００２１】
請求項２のように構成すると、継手の受け部とカードホルダーの把持部とが嵌合することにより、カードホルダーの側面姿勢が段階的に変わるため、すなわち、カードホルダーは複数の姿勢に変更した状態に保持されるため、例えば客の手が触れて姿勢が簡単に変わることはなく、このため、カードホルダーの姿勢安定性に優れている。
【００２２】
請求項３のように構成すると、カードホルダーは上把持部を支点（中心）にして前後回動させるものであるため、カードホルダーの姿勢変更を簡単に行える。また、上下把持部の間隔を大きくすることにより、カードホルダーの上下把持部で継手の受け部をしっかりと掴んだ状態を保持することができるため、客の手が触れてカードホルダーが不測に回動するようなことはなく、カードホルダーの姿勢安定性を一層向上することができる。また、継手は十手型フックに対して上下動不能に取付いているため、客が誤ってカードホルダーを突き上げるようなことがあっても、カードホルダーが外れることはない利点もある。
【考案を実施するための最良の形態】
【００２３】
次に、本願考案の実施形態を図面に基づいて説明する。
【００２４】
(1).第１実施形態（図１〜図５）
図１〜図５は第１実施形態を示している。図１のうち（Ａ）は陳列什器の裏側から見た分離斜視図、（Ｂ）はカードホルダーの側面図、図２は陳列什器の部分正面図、図３のうち（Ａ）は図２のＡ−Ａ視側断面図、（Ｂ）は図２のＢ−Ｂ視側断面図、図４は部分平面図、図５は使用状態の側面図である。
【００２５】
陳列什器は中空角形のビーム２２を多段に設けており、各ビーム２２に、左右一対の十手型フック２１とその間に位置した多数のシングルフック３０の群とが取付けられている。
【００２６】
本願考案の表示装置は、継手１とカードホルダー（レール）２とで構成されている。一般には、左右に配置した２個の継手１で１本のカードホルダー２を支持するが、カードホルダー２の長さが長い場合は３個以上の継手１を使用することも可能である。
【００２７】
継手１は合成樹脂を素材として射出成形によって製造されており、十手型フック２１における上段バー２６の直立部２６ａに横方向（陳列什器の正面視で左右方向）から嵌まる挟持部３と、十手型フック２１における上段バー２６の先端部の下面に下方から当接する下ストッパー部４と、挟持部３と下ストッパー部４との前面に一体に繋がった板状の受け部５とを備えている。挟持部３と下ストッパー部４とは請求項３に記載した基部に該当する。
【００２８】
挟持部３は、弾性変形することにより、十手型フック２１の直立部２６ａが嵌合するように設定されている。下ストッパー部４の上面には、上段バー２６が嵌合する３本の溝６を放射状に延びるように形成しているが、継手１の平面姿勢は一定なので、中央部の溝６のみが存在しておれば良い。
【００２９】
挟持部３は横向きに開口しているため、継手１が上下方向に首振りすることはない。また、上段バー２６が挟持部３と下ストッパー部４とで上下から挟まれているため、継手１は上下動不能に保持されている。受け部５の上端は挟持部３よりも僅かながら上向きに突出しており、受け部５の下端は下ストッパー部４よりも下向きに突出している。
【００３０】
カードホルダー２は、プライスカードＣが重なる平坦部７と、平坦部７の表面側に配置されたカバー板８と、平坦部７の裏面から後向きに突出した上下の把持部９，１０とから成っている。カバー板８の下端は平坦部７の下端に一体に繋がっている。平坦部７と把持部９，１０とは有色の樹脂を素材としており、カバー板８は透明な樹脂を素材としている。そして、カードホルダー２は、共押し出し法によって製造され、従って、全長にわたって同一断面形状になっている。
【００３１】
カードホルダー２の上把持部９は、継手１における受け部５の上端を前後ずれ不能に抱持するように側面視で下向き鉤状（逆Ｌ形）に形成されている。他方、下把持部１０は、上把持部９を支点にしてカードホルダー２をある程度の範囲で前後回動させると継手１における受け部５の下端に下方から当接し続けるように後方に延びており、更に、下把持部１０には、継手１における受け部５の下端に嵌合する３条の係合溝１１を前後方向に並ぶように形成している。
【００３２】
従って、下把持部１０を弾性変形させて任意の係合溝１１を継手１の受け部５に嵌め入れることにより、カードホルダー２の側面姿勢を、例えば図３のように大きく後傾した姿勢と、図５（Ａ）のように中程度に後傾した姿勢と、図５（Ｂ）のように殆ど直立した姿勢とに３段階に変更することができる。
【００３３】
そして、平坦部７の裏側には障害物はないため、上下把持部９，１０の間隔を大きくすることができ、このため、カードホルダー２を回動させるに際して大きなモーメントを作用させることができ、その結果、カードホルダー２は、上把持部９を中心にして下部を押して回動させるという作業によって簡単に姿勢変更できる。
【００３４】
下把持部１０の係合溝１１は、側面視で前面が前掲して後面が直立するように形成している。これは、客が商品を取り出すに際してカードホルダー２の下端に手前向きの外力がかかる多いことを考慮し、下把持部１０を手前側に移動させることに対して大きな抵抗を生じさせることにより、カードホルダー２の姿勢が不測に変化することを防止するためである。
【００３５】
本実施形態では、継手１は上下動不能に保持されているため、例えば客が誤ってカードホルダー２を下方から突き上げるようなことがあっても、カードホルダー２が外れることはない。
【００３６】
なお、プライスカードＣは平坦部７とカバー板８との間の空間に挟み込んでおり、カバー板８の上端で押さえ保持している。カードホルダー２は上下逆の姿勢にして継手１に取付けるこ共可能であり、この場合は、カードホルダー２は側面視で前掲させ得るため、高い位置に配置する場合に有益である。
【００３７】
このようにカードホルダー２を上下逆の姿勢でも継手１に取付けできるようにする場合、図１（Ｂ）に一点鎖線で記載したように、カバー板８の先端を平坦部７の先端面を覆うように鉤状に形成すると、上下逆向きで取り付けた状態でも、プライスカードＣの脱落を確実に防止できる利点がある（カバー板８は容易に撓み変形するので、プライスカードＣの挿脱に支承はない）。なお、カードホルダー２には必ずしもカバー板８は必要ない。プライスカードＣを平坦部の表面に貼り付けることも可能である。
【００３８】
(2).他の実施形態（図６）
図６では他の実施形態を示している。このうち（Ａ）（Ｂ）は継手１の別例である第２実施形態であり、（Ａ）は側面図、（Ｂ）は（Ａ）のＢ−Ｂ視断面図である。この実施形態では、継手１の基部１ａには、十手型フック２１における上段バー２６の直立部２６ａに嵌まる丸穴１３と、上段バー２６の先端部が嵌まる下向き開口穴１４とが形成されており、従って、継手１は上段バー２６に上方から嵌め込まれる。カードホルダーは第１実施形態のものを使用できる。
【００３９】
（Ｃ）（Ｄ）に示すのは、継手１及びカードホルダー２の別例である第３実施形態である。（Ｃ）は側面図、（Ｄ）は（Ｃ）のＤ−Ｄ視断面図である。この実施形態では、継手１は、上段バー２６の先端部を傾斜部２６ｂとした十手型フック２１に対応しており、傾斜部２６ｂが嵌まる部分も下向きに開口している。
【００４０】
カードホルダー２は上下の把持部９，１０を備えているが、上下把持部１０の両方に複数条（３条）ずつの係合溝１１を形成している。このため、カードホルダー２は直立姿勢と前掲姿勢と後傾姿勢とを任意に選択できる。なお、継手１は、直立部２６ａを備えた十手型フック２１と傾斜部２６ｂを備えた十手型フック２１との両方に兼用できる態様とすることも可能である。
【００４１】
（Ｅ）に示すのは第４実施形態である。この実施形態では、継手１の受け部５を側面視で円柱状に形成する一方、カードホルダー２の上下把持部９，１０を全体として側面視略半円状に形成し、受け部５には、その軸心を挟んで対称状に３本ずつの突起１５を形成する一方、カードホルダー２の把持部９，１０には、回動軸心を挟んで対称状に２条ずつの係合溝１１を形成している。この実施形態でも、カードホルダー２は受け部５の軸心回りに回動させることにより、直立姿勢と前掲姿勢と後傾姿勢とに変更できる。
【図面の簡単な説明】
【００４２】
【図１】第１実施形態を使用した (A)は陳列什器の裏側から見た分離斜視図、 (B)はカードホルダーの側面図である。
【図２】陳列什器の部分正面図である。
【図３】(A)は図２の A-A視側断面図、 (B)は図２の B-B視側断面図である。
【図４】部分平面図である。
【図５】使用状態の側面図である。
【図６】第２〜第４実施形態を示す図である。
【図７】従来例を示す図である。
【符号の説明】
【００４３】
１  継手
２  カードホルダー
３  基部の一部を構成する挟持部
４  基部の一部を構成する下ストッパー部
５  受け部
７  平坦部
８  カバー板
９  上把持部
１０  下把持部
１１  係合溝
【図１】
0003106925.tif 000003
【図２】
0003106925.tif 000004
【図３】
0003106925.tif 000005
【図４】
0003106925.tif 000006
【図５】
0003106925.tif 000007
【図６】
0003106925.tif 000008
【図７】
0003106925.tif 000009